(57)【要約】【課題】簡単にひもの長さ調節可能な長さ調節具とこれを備えた背負い具でありながら背負い具を感じさせない形状にし収納機能や防災効果や介助受容機能を持たせ常時直時に使用可能な背負い具を要求する。【解決手段】防災布や季節適応布を用い日常使用の衣服や敷シート体を本体の型とし、各所に光反射材や蓄光材を配し随所に複数のポケットと介助ひもを設けた本体に、背負い機能部を一体化させた背負い具とする。該背負い具の長さ調節具の機能を高める。    【選択図】   図１
2008220764.tif 000002
【特許請求の範囲】
【請求項１】
一般布や防災布や季節適応布や健康志向布のいずれかまたは、組み合わせて敷シート型にした本体に背負い機能部を一体化させた背負い具。
【請求項２】
一般布や防災布や季節適応布や健康志向布のいずれかまたは、組み合わせて衣服型にした本体に背負い機能部を一体化させた背負い具。
【請求項３】
請求項２に記す背負い具の本体丈を背負いひも該当部位から尻受けひも該当部位までの短丈とした背負い具。
【請求項４】
請求項２〜４に記す本体丈を短丈から長丈までの適宜幅とした背負い具。
【請求項５】
請求項２〜４に記す本体幅を平均身幅とした背負い具。
【請求項６】
請求項２〜４に記す本体幅を敷き布団下へ敷き込める幅までの適宜幅とした背負い具 
【請求項７】
請求項４〜６に記す本体頭部用布を中折りし、フードに形成可能な背負い具。
【請求項８】
請求項２・４・５・６・７に記す本体尻下を切り開いた用布でズボン状に形成可能な背負い具。
【請求項９】
請求項１〜８に記す背負い具の本体脇や尻受け部や頭部端や足部の一部または全部に介助ひもを取り付けた背負い具。
【請求項１０】
請求項９の介助ひもの内面と本体外面の着脱テープがあり該テープで不使用時に閉じておける介助ひも。
【請求項１１】
請求項１〜１０に記す背負い具の背負い機能部を本体に取付法は、固着だけでなく、着脱できる取付法もある背負い具。
【請求項１２】
請求項１〜１１に記す背負い具の背負い機能部は、背負いひもと長さ調節ひもと尻受けひもを長さ調製具とバックルで連結し主としてリュック状で背負う背負い具。
【請求項１３】
請求項１２に記す背負い機能部には、該機能を補強する胸ひもを取り付けた背負い具。
【請求項１４】
請求項１２・１３に記す背負い機能部には、該機能を補強する腰ひもを取り付けた背負い具。
【請求項１５】
請求項１２〜１４に記す背負い機能部の調節具の調節具本体は、胴体部があり胴体部の下に調節機能を有した２つの挿通部から成り、これに調節ひもを通し、長さを調節するものである。
【請求項１６】
請求項目１５に記す調節具は、本背負い具では背負いひもの胸あたりの背負いひも先に取り付け、調節具に当たらないよう調節ひもを背負いひも先に取り付け該調節ひもを尻受けひもに通し引き上げ、該調節具に通し該調節具は滑車の役目を持ち調節ひもはつるべのひものようにひもを引き下げひも丈を調節する。
【請求項１７】
請求項１５と１６に記す調節具は、胴体を大きくし持ち易くした調節具である。
【発明の詳細な説明】
【技術分野】
【０００１】
本発明は、背負い具と長さ調節具を使用した背負い具に関する。
【背景技術】
【０００２】
歩行困難で介助を受ける者（以下受介者）の移動手段としての背負い具は、必要時、別に用意しなければならず、外見は背負い具の機能しかなく、他の必要品は荷物として持たねばならず防災効果はない。                        
【０００３】
背負う時（以下背負時）受介者の背負いひも該当部分（以下背負部位）からずり下り易く、背負いにくくずり下がると危険である。
【０００４】
背負いひもを衣服や、キルトやシーツ状敷寝具（以下敷シート）に固く取り付けたり、固く縫いつけ（以下固着）てある場合は、横臥時や洗濯時に取り外せない。
【０００５】
背負時、背負続行時（以下、背負中）に第三者の介助を受けにくい。
【０００６】
背負えない人（以下横臥者）の移動には、別の移動手段を用意する必要がある。
【０００７】
現在流通している長さ調節具（以下、調節具）でひもの長さを調節する時、予め、長さを調節しておかないと６０キログラムの女性が７０キログラムの男性を背負う時、現在の調節具でのひもの滑り具合は悪くほとんど動かない。
【０００８】
【特許文献１】特開２００５−６０８４７
【特許文献２】特開２００１−５５６０８
【特許文献３】特開２００１−１７０１１２
【特許文献４】特開２００６−１９８１３９
【特許文献５】実用新案登録番号第３０８０４６１
【発明の開示】
【発明が解決しようとする課題】
【０００９】
背負い具の形状は、外見は背負い具の機能でしかなく、受介者の心証は害されることが多いので、背負い具のイメージを払拭し、日々の生活に馴染む形状にし、常時身近にあり、日常時や災害時に直ぐに役立ち荷物にならず用品収納可能な物とする。
【００１０】
背負い時、背負いひもが受介者の背中の背負い部位からずり下がらず安全と所要時間短縮化（以下、スピード化）を図る。
【００１１】
背負い具の本体を衣服型や敷シート型とし、該本体に背負いひもを固着する方法と、容易に取り外し可能な方法を図る。
【００１２】
背負い時や背負い中に、第三者の介助を受ける介助ひもを取り付け該介助ひもが杭など突起物等の障害（以下、突起物）に進行妨害されない工夫をする。
【００１３】
横臥者の移動手段として、背負わず移動させる方法を図る。
【００１４】
重量がある人や物を背負い時、背負い中に背負いひもの長さ調節を滑らかに確実に果たせる調節法を図る。
【００１５】
受介者が快適で、背負い者が楽に背負える方法を図る。
【００１６】
以上の事から受介者が日常に使用している衣服又は、敷シートの型を本体とし（以下、本体）この本体の材質を一般布だけでなく、難燃性や溌水性や放湿性で防災の効果を持つ布（以下、防災布）や、健康志向布、発光体材を用い、随所に大小のポケットを設け、第三者の介助を受ける介助ひもを取り付けた本体に滑らかに確実に長さ調節する調節具を付けた背負い具を一体化することにより、常時、短時間で的確に安全に背負え、収納機能や防災機能を持ちながら、衣服に見違える形状、そして背負えない時の移動にも役立ち、背負いひもを着脱可能な型も用意し、前述の欠点を解決しようとするものである。
【課題を解決するための手段】
【００１７】
本発明の背負い具は、衣服型または敷シート型の本体に背負い機能部を取り付けて成す。
【００１８】
該本体が衣服型、敷シート型であることで常時身に付けられる形状とする。
【００１９】
衣服型または敷シート型とも本体の随所に大小のポケットを設ける。
【００２０】
本発明の背負い具は、該本体の背負い部位に、背負いひもと、調節ひもと尻受けひもと継脱具から成る背負い機能部（以下、背負い機能部）を取り付けて成すが衣服型や敷シート型とも、好みで、背負い機能部を共布又は別布のフタ型や筒型の物で部分的に隠す。
【００２１】
該本体用布の一部又は別布を用い背負い機能部の全部を隠し収納する。
【００２２】
該本体用の材質は、一般布だけでなく防災布を用い防災効果を持たせる。また、綿入れ加工布、毛布、吸汗布、湿度制御布など季節適応布や健康志向布を単体または組み合わせ、季節に合わせる。
【００２３】
本発明の背負い具本体や、背負い機能部の一部から全部に光反射材や蓄光材を用いる。
【００２４】
該背負い機能部は、背負いひもと長さ調節ひも（以下、調節ひも）と尻受けひもと調節具とバックル等継脱具（以下、バックル）を一体に継着し背負い具と成す。
【００２５】
該背負い機能部は、背負いひもの両端に調節具がある。背負いひも両端内面側に固着された両調節ひもは、尻受けひも両端のバックルを通し調節具に通して一体と成す。
【００２６】
該調節ひもは、背負いひも端に固着され、固着部から下へ下ろし、尻受けひもの端のバックルの内面から通し引き上げ背負いひも先の調節具に通す事で３枚の屏風状となる。正面から見て１枚目ひも先を引き下げる事でひも丈は短縮する。２枚目の中央部を引き下げる事でひも使用量をを伸長する。ひも丈伸長時は、調節具は２枚目中央部のひもに対し、９０度の角度で上へ浮かした状態にしてひもを引き下げる。
【００２７】
背負いひもの取り付け法（以下、取付法）Ｉとして背負いひもを本体背負部位へ固着する。
【００２８】
背負いひもの取付法IIとして、本体背負部位の着脱テープを取り付け、一方背負いひもの背負部位へ双方が着脱し合える着脱テープを取り付け本体と背負いひもを着脱させる。
【００２９】
該取付法IIで係着した上で、本体背負い部位内の複数カ所に取り付けたひもを結ぶか、ボタンを係止めするなど、２種以上の着脱手段で安全化を図る。
【００３０】
尻受けひもは、本体尻下の尻受けひも該当部位（以下、尻受部位）へ固着する。
【００３１】
本体背負い具の尻受けひも両端と両調節ひも中央部を継着しているバックルは、必要に応じ着脱可能である。
【００３２】
背負い具での背負い法（以下、背負法）Ｉとして、尻受けひも両端と両調節ひも中央部を継着しているバックルを継着したまま、リュックサック状（以下、リュック状）にして背負う。
【００３３】
本背負い具での背負い法（以下、背負法）IIとして尻受けひも両と両調節ひも中央部（以下、尻受けひもと調節ひも）を継着しているバックルを抜脱し、本体裾尻部と尻受けひもを受介者の股に挟み入れてから、抜脱したバックルを継着させた後、リュック状にして背負う。
【００３４】
本背負い具の背負いひもの胸あたりに胸ひもまたはバックルのついた胸ひも（以下、胸ひも）を取り付け、背負い時胸ひもを結ぶかバックルを継着する（以下、胸ひもを留める）  事で背負い者（以下、背負者）の肩から背負いひものずり落ちを防止する。
【００３５】
本背負い具の尻受けひもあたりに腰ひもまたはバックルの付いた腰ひも（以下、腰ひも）を取り付け、背負い時、腰ひもを結ぶかバックルを継着する（以下、腰ひもを留める） 事で背負者腰部と受介者股部の密着度を高め重心の低下防止とする。
【００３６】
本背負い具本体の尻受けひもあたり、または、本体両脇の一部または全長に介助ひもを取り付け、背負時、背負中に第三者の介助を可能にする。
【００３７】
該介助ひもの内面側と本体外面側に双方が着脱し合える着脱テープを取り付け、背負中に介助ひもの手通し部に突起物の貫入を防止する。
【００３８】
敷シート型の幅を一般人平均身幅（以下、平均身幅）から敷布団への敷込み可能な幅（以下、広幅）までの適宜幅とし、背負いひもと尻受けひもの取り付けは、背負い部位と尻受け部位へ平均身幅程度とする。
【００３９】
敷シート型の幅を一例として平均身幅程度とした場合、背負い時にずり下らないよう本体の胸部あたりに胸固定ひもまたは着脱テープ等の着脱手段を取り付けた胸固定用ひも（以下、胸固定ひも）を取り付ける。
【００４０】
敷シート型の幅を平均身幅程度とした場合、背負中に本体を固定させるために、本体の腹部あたりに腹固定ひも、または種々係止具を取り付けた腹固定用ひも（以下、腹固定ひも）を取り付ける。
【００４１】
敷シート幅を一列として、布団敷き込み幅とした場合、背負時は身幅から余分で受介者の体を巻き、敷シートに着脱テープやボタンひもやバックル等の着脱手段（以下、着脱手段）の１種か復数種を取り付け、これで留めた後、衣服型と同様にして背負う。
【００４２】
該敷シートで横臥時は、そのまま横臥するか着脱手段を解除し敷シート端を背負い機能部本体とごと敷き布団下へ敷き込む。
【００４３】
敷シート型の丈は、短丈から長丈までまでとし使用目的により、適宜丈にする。本明細書までは、短丈と中丈と長丈で説明する
【００４４】
敷シート型本体の短丈として、背負い部位から尻受部位までの丈とし、背負部位に背負いひもを、尻受部位に尻受けひもを各々ほぼ平均身幅分を取り付ける。この丈の場合、背負い時に背負いひもがずり落ち易いので胸固定ひもを係止し、衣服型と同様にして背負う。
【００４５】
敷シート型本体の中丈として頭部から尻受け部位までの丈とし背負部位に背負いひもを尻受部位に尻受けひもを各々ほぼ平均身幅分を取り付ける。
【００４６】
敷シート型本体の長丈として頭部から足下までとし背負部位に背負いひもを、尻受部位に尻受けひもを各々ほぼ平均身幅分を取り付ける。
【００４７】
該敷シート型長丈での装着法Ｉとして、敷シート本体の尻受けひもから下を股に挟み込み入れ、敷シート下端部を引き上げ、敷シート本体上か背負いひも取り付け部付近に適宜着脱手段で留める。
【００４８】
該敷シート型長丈での装着法IIとして長丈の敷シート幅を広幅として、該広幅長丈の尻受けひもから下部を切り開き、切り開いた敷シート脇端部に着脱し合える着脱手段を取り付け、該切り開いた２部の敷シートで受介者の足を片方づつ包み、包んだ端を前記の着脱手段で留めズホン状にする。
【００４９】
前記ズボン状にする装着法IIIとして、敷シート本体尻部に股布をを取り付け、これら股布と尻受けひもを受介者股間に挟み入れ、引き上げ本体上部か背負いひも取り付け部付近に適宜着脱手段で留め股布を挟んだズボン状にする。
【００５０】
敷シート型の中丈と長丈の背負い具で背負う場合、敷シート頭部上端に適宜着脱手段を取り付け、該上端を中折りして前記着脱手段を留めて成る三角フード型や、上端を布着のように絞って成るギャザー型フード（以下、フード）を頭に被る事で背負いひもが背負い部位からずり下がるのを防止して、衣服型と同様にして背負う。
【００５１】
該フードを被らない時は、胸固定ひもを留めてから同様に背負う。
【００５２】
該フードは、各着脱手段を解除し敷シート体に戻す。
【００５３】
敷シート型長丈の背負い具で横臥人の移動手段への転用法として、敷シート両脇端の全長または、一部に介助ひもを取り付け複数の介助者で介助ひもを持ち上げ移動させるか介助ひもに棒状の物を差し込み持ち上げ、担架のようにして移動させる。
【００５４】
該シート型長丈が広幅の場合、前記方法の前に身幅からの余分で受介者の体を包み背負いひもで身体拘束し安定させる。
【００５５】
前記方法で移動させるとき、背負いひも本体と尻受けひもを継着させた背負い具ひもを介助者の肩や腕にかけると受介者の重量を分散させられる。
【００５６】
敷シート型で背負わない時は、本体上の着脱手段を解除し、敷シート体に戻す方法に着脱手段を係着し直し敷シートとして使用する。
【発明の効果】
【００５７】
上述のように本発明の背負い具は、受介者が日常使用している衣服や、敷シートを本体の型としたので常時身近にあることから必要時に使用可能となり、労力や不安が軽減されスピード化された。
【００５８】
本発明の背負い具形状は、衣服型や敷シート型とし、本体用布の一部やポケットやフタ等で、背負い機能部を収納し隠すことで、背負い具のイメージは払拭され衣服のイメージが強くなったので、受介者の害心証は減少した。
【００５９】
また、背負いひもの不要時に収納しておけば背負い機能部のひも等の垂れ下がりが無いことからひもへのつまづきも、邪魔にもならず快適である。また、背負い機能部の汚れ傷みも少ない。
【００６０】
また、本体背負部位の上にフタを取り付けた事で、背負い具のイメージが払拭される利点に加え、後述の背負いひも取付法IIで取り付けた背負いひもと、本体背負部位着脱テープを、該フタで隠す事により突起物等で離脱させられる恐れが減少した。
【００６１】
本体外面と内面の適宜所へ大小適宜なポケットを設ける事でポケットへの用品収納量分だけ別荷物量が減量された。
【００６２】
本体用布の材質を一般布だけでなく、防災布を用いて防災効果が得られ、健康志向布や季節適応布を用いて季節適合させる事で快適感を得る。
【００６３】
本体と背負い機能部のひもや器具等の一部または全部に光反射材や蓄光材等の発光体を加える事により災害だけでなく日常夜間の目印や光源となり不安が軽減された。
【００６４】
本体の背負い部位に背負いひもを、本体の尻受部位へ尻受けひもをを取り付けた衣服型本体を着用し、背負うと、背負いひもが受介者の背負部に自ずと該当し当然ながら取り付け部位が動かないのでずり下がらず短時間で的確に安全に背負い可能となり、スピード化と的確化と安全性が高められた。
【００６５】
該背負い具で、背負い時、背負い中、背負い機能部の背負いひも等と本体に受介者の重量が分散され、背負い者は、分散された重量を肩や背中や腕で受けるので箇所箇所で受ける重量は減少されたと感じられる。
【００６６】
また、背負い者は、背負う事で両手の自由を得られ自身の安全も確保し易くなった。万が一背負い中に双方が転落する事があっても衣服型の肩部分、敷シート型のフード部分が背負い具に固着されているので背負い具から受介者だけ離れて落ちる事はなく安全である。
【００６７】
一方背負われた受介者は、自身の重量が本体布と背負い機能部の背負いひも等に分散されて脇下や太股等に集中しない事から苦痛はない。また、該本体布での被覆量が多い程、被保護感は高い。
【００６８】
背負いひもの取付法Ｉとして、本体背負い部位へ固着したので安全性が高い。
【００６９】
背負いひもの取付法IIとして、本体背負い部位へ着脱テープを取り付け、背負いひも背中部へ双方が着脱し合える着脱テープを取り付け必要に応じ該着脱テープを着脱可能にしたので横臥時に離脱させると邪魔にならず、洗濯時や新品交換時も容易である。
【００７０】
背負いひもの取付法IIとして、着脱テープの係着だけでなく本体背負い部位の複数箇所の別ひもを結ぶか、ボタンを係止し２種以上の着脱手段を用いるので、本体から背負いひもが離脱し難い。
【００７１】
尻受けひもは、本体尻受け部位へ固着したので安全である。
【００７２】
本発明の背負い具の背負い機能部は、背負いひも、調節ひも、尻受けひもを用い、適所に調節具と継脱具を取り付けて成し、胸ひもや腰ひもで機能補強させ、該背負い機能部を衣服型や敷シート体に一体化させた背負い具であり、使用に当たっては各ひもを器具で連結し主としてリュック状にして背負うのでスピード化が図られた。
【００７３】
背負いひも、尻受けひもの連結法Ｉとして、尻受けひも両端の継脱具に背負いひもの継脱具を継着しリュック状にして背負うのでスピード化が図られた。且つ常時リュック状態で待機可能である。
【００７４】
背負いひもと尻受けひもの連結法IIとして、尻受けひも両端の継脱具を抜脱させ、尻受けひも及び裾尻布を受介者の股間に挟み入れてから尻受けひも両端のバックルを継着した後にリュック状で背負うので継着所要時間は、やや長くなるが尻受けひもが上へずり上がる危険性が無くなる。
【００７５】
また、この連結法IIは、受介者のずり下がりが少なく重心が下がらないので背負い者の軽量感は高く受介者は胸や腹の圧迫感が少ない。
【００７６】
これら連結法ＩとIIで背負いひもと尻受けひもを連結した後に、背負い者は、背負い者の腰部を受介者の股あたりまで下げ、背負う体勢にした後に、胸ひもを係着するが、該胸ひもは、背負い時、背負い中に背負い者の肩から背負いひもがずり落ちるのを防ぐ。
【００７７】
背負い機能部の連結法ＩとIIの背負いひもの長さ調節は、背負いひも先の調節具に挿通した調節ひもの先（１枚目）を引き下げて使用ひも丈を短縮させ、調節ひもの中間部（２枚目）を引き下げて使用ひも丈を伸長させる。 
【００７８】
該調節具は、背負いひも先にあり背負い者の胸あたりに位置しそれに挿通した調節ひもを引き下げるとき、胸あたりの調節具は滑車の役をも持ち調節ひもは、つるべのひもの原理が働き、引き下げ時の力は少なくて済む。片手だけで引き下げられない時は、両手で１本の調節ひもを引き下げる事もできる。引き下げを止めると調節具のストップ機能が働き適量丈を維持できる。
【００７９】
調節具で使用ひも丈を伸長させる時は、該調節具を調節ひもに対し９０度角まで上へ浮かせてから調節ひも２枚目を引き下げるが背負い中は調節具を上へ浮かせると受介者の重量により調節ひも２枚目が引き下がり、使用ひも丈が伸長される。適量丈にして調節具を下げるとストップ機能が働き維持される。
【００８０】
該調節具で使用ひも丈を伸長させる時調節ひもに対し９０度角で調節具の胴体を手で持ち上へ浮かせるが、該調節具の胴体を手で持ち易い大きさにした事で持ち易く手の力が少なくて済む。該胴体が大きい事から調節具を浮かせた時調節ひも２枚目（中央部、伸長用）は、１枚目（先短縮用）と３枚目（背負いひも先に固着）から適度な距離感が生まれ作業がわかり易い。
【００８１】
該調節具と調節ひもでひもの長さ調節をする時、背負い者の背中に乗せた状態で作業すると、ひもの滑り具合は滑らかで軽く長さ調節は、一段とスピード化された。人以外の物の背負い具に転用してもこの長さ調節の滑りの良さは生かされる。
【００８２】
ひもの長さ調節が適量となれば腰ひもを係着するが該腰ひもを係着すると背負い時、背負い中、受介者太股が背負い者腰骨位置からずり下がり難い事から、背負った重心は下がり難い。また、受介者の股部と背負い者の腰部の密着度も高くなり、密着度が高く、重心が高いと背負い者は、軽量感が高く安心感が持続できる。
【００８３】
また、一方、受介者は、股部と背負い者の腰部の密着度が高いと受介者の胸部や腹部に空間が生まれる事で圧迫感がなく安定と安心を得ることができた。
【００８４】
そして、該腰ひもへの重量分散により背負い者の軽量感と受介者の太股の安定感が増し苦痛は無い。
【００８５】
敷シート型を本体とした背負い具で、平均身幅や短丈の場合は、横臥時に敷き込んでおくだけでなく、単なる背負い具として持ち運びや手入れが手軽で嵩張らない。該敷シート型は、胸固定ひもがあるので、背負い時、背負い部位からずり下がり難く、腹固定ひもがあれば安定する。
【００８６】
敷シート型で幅が敷き布団下へ敷き込み可能な広幅の型で背負う場合は、身幅より余る布分を身体に巻き、布端の着脱手段で止めるので余分布が邪魔にならず、防寒、防災の効果がありそのまま横臥可能である。布端の着脱手段を解除すれば敷き布団の下へ背負い機能部ごと敷き込めば敷シーツはずれにくい。
【００８７】
敷シート型、中丈は、尻受け部位から頭部までとしたので背負い時や使用しないときの扱いがやや簡単である。
【００８８】
敷シート型長丈は足下から頭部までとしたので、長丈装着法Ｉとして、敷シートの尻受けひもから下を股に挟み込んでから裾端を引き上げ、敷シート上に係着するか、背負いひも、背負い部位近に係着する。着脱手段の係止力が強いと背負い中ずり下がりは少ない。このまま横臥させ、通常横臥までの解除は簡単である。
【００８９】
敷シート型広幅で長丈の装着法IIとして、敷シートの股あたりから下の中心を切り開き、開いたシート布で、受介者の足を片方ずつ包み、包んだ布端を着脱手段で止め、ズボン状に形成可能なのでこうすると保護効果が高く、ズボン状で横臥させておく事もできる。
【００９０】
該広幅長丈装着法IIIとして、尻部に取り付けた股布をズボン状の股に挟み入れ、股布に取り付けた継脱具と背負いひも本体の継脱具に継着させて背負うので受介者はずり下がりにくい。ズボン状で横臥させておく事も可能である。
【００９１】
該長丈装着法IIとIIIのズボン状の着脱手段を解除し、この着脱手段を別方法で係着し敷シート状に戻す事ができるので便利である。背負わない時は、装着法ＩＶとして敷シート布を単に巻き付けるだけなので便利である。
【００９２】
敷シート型の中丈と長丈の場合、用布は頭部まであるので該頭部上端を縦に中折りし、頭部上端の着脱手段を係着しフードを冠せる事で背負いひもが背負い部位からずり下がらず、背負い時的確に背負える。
【００９３】
該フードは、防暑、防寒、防災の役目を果たし、そのまま．横臥可能で、該頭部上端の着脱手段を解除することで直ちに敷シート状に戻すことが可能で横臥時は、頭の重みで敷シート頭部がずれにくい。
【００９４】
敷シート型の短丈、中丈、長丈のいずれも背負いひもと尻受けひもは、敷シート本体の幅に関係なく平均身幅分を各々の該当部位へ取り付けたので背負い時、背負い中は衣服型と同様に背負いが可能。胸ひも、腹ひもも衣服型と同様の効果を得た。
【００９５】
敷シート型の長丈で背負えない横臥者を移動させる手段として、敷シートの両脇端の全長または一部に介助ひもを取り付けたので、複数の介助者が介助ひもを持ち上げるか介助ひもに棒状の物を差し入れることで担架状の移動手段に転用できた。背負いひも等を介助者の肩にかけるとより安全性が高くなり、手や腕にかかる重量は分散され小さくなる。
【００９６】
該シート型で単独で移動させる手段として、引きずる方法があるが、該介助ひもがあるので持ち易く背負いひもを肩にかけると手や腕の重量は分散され小さくなる。
【００９７】
衣服型の場合の介助ひもは、尻受けひもあたりや両脇の全長または一部に介助ひもを取り付けてあるので第三者の介助者は単独または複数で介助可能となり、介助を受けた背負い者の肉体的、精神的負担は軽減される。
【００９８】
衣服型と敷シート型とも介助ひもの内面側と本体外面側に双方が脱着できる着脱テープがあるので、介助ひもを不使用時には、該着脱テープを係着していおくので移動時この介助ひもの手通し部に突起物が貫入せず進行妨害されなくなった。
【００９９】
該介助ひもの使用時は、着脱テープを瞬時に離脱できるので、対応は速く、介助ひもを手で持ったり腕に掛けたり棒状の物や帯状の物を挿入して介助できる。
【発明を実施するための最良の形態】
【０１００】
以下、本発明の実施の形態を図１〜図２２に基づいて説明する。
【０１０１】
本背負い具の衣服型も敷シート型も通常人の日常着用衣服や敷シーツを本体とし、該本体に背負い機能部を一体化させたものであるので、図の説明は背面図が大半である。図１は本発明による背負い具の衣服型の１例使用時の略背面図である。
【０１０２】
この背負い具は、背負い具本体布に一般布や防災布や季節適応布や健康志向布を用いて、本体１Ａとしている。敷シート本体１Ｂにおいても基本的には同様である。
【０１０３】
該背負い具の背負い機能部５は背負いひも７と調節ひも９尻受けひも８を調節具１０とバックル６Ｂａと６Ｂｂで連結し一体と成す。
【０１０４】
該背負い機能部５の胸付近に胸ひも１１と尻受けひも８下に腰ひも１２を取り付け、背負具の機能を補強した。結ぶとか継脱具６で留める。
【０１０５】
該背負い機能部５を本体１Ａまたは１Ｂに一体化させ本背負い具と成す。
【０１０６】
本背負い具には、ポケット４を各適所に設け収納機能を持たせる。
【０１０７】
また、状況、状態に合わせ介助ひも１７を適所に適量を取り付ける。
【０１０８】
また、状況、状態に合わせ発光体材１８を適所に適量配する。
【０１０９】
図２は、衣服型の背負い機能部５を、本体１Ａの裾尻布１ａで収納途中の背面斜視図である。ぴったりと収納し終えたらフタ３と裾尻布１ａの着脱手段６Ｃで留める。裾尻布両脇と本体１Ａの脇端にも着脱手段６Ｃで留める。
【０１１０】
図３は、背負いひも取付法IIの略背面である。衣服型敷シート型とも同様の実施法である。
本体１Ａ・１Ｂの背負い部位７Ａに着脱テープ６Ａａを取り付ける。
【０１１１】
図４は、背負いひも取付法IIの背負いひも取付部位の略内面図である。背負いひも７の内面体に、ひも６Ｄを複数と着脱テープ６Ａｂを取り付ける。
【０１１２】
図５と図６と図７は、敷シート型平均身幅短丈とこの幅の中丈と長丈の略背面図である。本体１Ｂの背負部位７Ａと尻受部位８Ａに各ひもを取り付ける。また、胸固定ひも１３、腹固定ひも１４の部位である。
【０１１３】
図８〜１０は、広幅敷シートの短丈、中丈、長丈の本体の背負部位７Ａと尻受部位８Ａである。
【０１１４】
図１１と図１２は、敷シートの広幅長丈の切り開き法１と２である。頭部１Ｂａの端に着脱手段６Ｃａと６Ｃｂを付け該着脱手段でフード１５を形成する。
【０１１５】
該敷シートの両端また中程の着脱手段６Ｃｂと６Ｃａは受介者２ａの体を巻いた後に該脱着手段６Ｃで留め着衣状にする。
【０１１６】
図１１と図１２の敷シートでズボン状にする時は、本体切り開き部１６の着脱手段６ｃａと６Ｃｂを解除し、本体の両方の足下１Ｂｂを受介者の足に片方づつ巻き、本体足下両方の端の着脱手段６Ｃａと６Ｃｂを留める。
【０１１７】
図１１でズボン状にして背負うと尻受ひも８は挟めないがズボン状にした足下１Ｂｂの着脱手段が留まっているので尻受部位８Ｂがずり上がる可能性は低い。
【０１１８】
図１２の敷シートでズボン状にして背負い時、股布１ｂと尻受けひも８を股に挟み入れてから尻受ひものバックル６Ｂｂを調節ひも中央部のバックル６Ｂａに継着し背負う。
【０１１９】
図１１と図１２のズボン状の解除は、留めた着脱手段６Ｃａと６Ｃｂを解する。敷シート本体へ戻す時は切り開き部１６の６Ｃａと６Ｃｂを留める。
【０１２０】
図１３は、敷シート型の平均幅中丈を装着した略斜視図である。本体頭部１Ｂａを中折りし着脱手段６Ｃで留め三角フード体を形成した。
【０１２１】
図１３の尻受ひも８は、介助者２ａの尻受部位８Ａに当てただけである。
【０１２２】
背負い中長時間を要する時、また進行上に障害がある時、介助者２ａの身体の動きがある時は短時間でも尻受ひも８のバックル６Ｂを解除してから尻受ひも８と裾尻布１ａを股に挟み入れ解除した６Ｂを継着してから背負う。また腹ひも１４があればこれをすると本体１Ｂが安定する。
【０１２３】
図１３の股挟みの方法は、敷シート中丈だけでなく敷シートの短丈、長丈、広幅、狭幅、また衣服型も同様で同様の効果を得る。
【０１２４】
図１４は、敷シートの広幅長丈の装着法Ｉの略斜視図である。横臥者２ａを急を要し安全を目的に移動させる手段である。図１３で述べた方法でフードを形成し、裾尻布1ａを股に挟み入れ引き上げ、これの着脱手段６Ｃ、背負いひも７付近にある着脱手段６Ｃとで留める。
【０１２５】
図１４での尻受ひも８は、図のままでもずり上がる危険はないが、図１３で述べた方法で尻受ひもを股に挟み入れるとより安全である。
【０１２６】
図１５は、敷シート広幅長丈装着法IIである。図１３の方法で三角フードを形成し、図１１と図１２で述べた方法で装着したものである。腰ひも１２があればバックル６Ｂを継着するとより安定する。
【０１２７】
図１６は、敷シート広幅長丈装着法IIIの略斜視図である。図１１と図１２と図１３で述べた方法で装着したものである。
【０１２８】
図１７は、敷シート広幅長丈装着法ＩＶの略斜視図である。敷シートを脇から下の胸や足下１Ｂｂを巻き付け、敷シート端及び中央の着脱手段６Ｃで留め、頭部１Ｂｂを肩に着脱手段６Ｃで留めた。歩行介助時や横臥時や安息時の保温着の役目をもつ。
【０１２９】
図２０のａは、長さ調節具の正面図であり、ｂは背面図であり、ｃは側面拡大図である。
【０１３０】
手順１は、背負いひも７を調節具１０の第１挿通部１０ｂの外面から挿通し、背負いひも７のの先を引き上げ背負いひも７の内面同志を合わせ固着部１９から上を固着する。
【０１３１】
手順２は、調節ひも９の外面９ａを背負いひも７の端の調節具１０の内面に添わせ、背負いひも７の内面の固着部１９から上部へ固着する。この固着１９部が多い程強度が高まる。
【０１３２】
手順３は、バックル６Ｂを取り付けた胸ひも１１を調節具の上の固着部１９あたりに固着する。
【０１３３】
手順４は、手順２で取り付けた背負いひも７の端に取り付けた調節ひも９の先の外面９ａを尻受けひも８のバックル６Ｂのオスバックル６Ｂａの内側の挿通部６Ｂｃに通し、引き出し調節具１０の第１挿通部１０ｂの内面から通し引き出し調節調能軸１０ｄをまたいで第２挿通部１０ｃにとおし引き出す。
【０１３４】
手順１〜４で固着し、挿通した調節ひも９は、正面から見て、ひも先９ｃは１枚目にあり、この１枚目を引き下げると使用ひも丈が短縮する。
【０１３５】
正面から見て、中央部９ｄは２枚目にあり、この２枚目を引き下げると使用ひも丈が伸長する。
【０１３６】
該調節ひも中央部９ｄの２枚目を引く時は、調節具１０を調節ひもに対して９０度の角度に浮かせ上げる必要がある。本発明の調節具１０は、浮かせ上げる時を考慮し浮かせ上げる手に持ち易い形として、大きな胴体のある調節具１０とした。胴体が大きい事から持ちやすく作動時小さな力で作動できる。
【０１３７】
また、こうして浮かせ上げた調節具１０は、１枚目、２枚目、３枚目のひも各々に距離を作り確認が楽となる。
【０１３８】
本発明の長さ調節機能は、井戸に例えば背負いひも取り付け部が井戸の屋根、この屋根に取り付けた滑車は本発明の調節具１０長さ調節軸１０ｄである。つるべは尻受ひも８で支える受介者であり、つるべのひもは、調節ひも９である。滑車の原理で重量を分散している事から長さ調節が従来より軽く楽になった訳である。                                  
【０１３９】
図１８にある尻受ひも８は、このひも８をバックルのメス６Ｂｂの挿通部６Ｂｃの外面から通し折り返し箇所に固着部１９から全体に固着する。本発明の背負い具は、裾尻布１ａやフタ３やポケットで包み隠すことで背負い具のイメージ払拭の一助としている。
【０１４０】
図２１のａは、介助ひも使用時の略斜視図である。ｂは介助ひもの外面の正面図である。ｃは介護ひもの内面の正面図である。
【０１４１】
用布は、丈夫なテープや布を重ねた物とし、クッション性のある物を内在させると手に優しい。また、介助ひもの外面には発光体を取り付けると夜間の目印や光源になる。発光体の数は適宜とする。
【０１４２】
介助ひも内面には、着脱テープのメス６Ａｂを取り付けるが着脱テープの幅を広くする場合は、係着力の弱い物とし、幅を狭くする時はやや強めとする。係着力が強いと本体から離脱させる時、力が要り手間がかかる。
【０１４３】
該介助ひもを取り付ける本体または背負い機能部の取り付け部位には、着脱テープのオス６Ａａを取り付ける。
【０１４４】
介助ひもの手通し部１７ａは約１５cmにすれば円周３０cmの腕等が入れられるが適宜幅とする。
【０１４５】
図２２は、広幅長丈本体への取付部位の説明であって、ａは全長の取り付け図である。ｂは一部への取り付け図である。介助ひもの幅や長さは状況や状態に適宜合わせ、衣服型、敷シーツ型とも全長または一部に取り付ける。
【０１４６】
図２３は、広幅長丈の担架状の斜視図である。
図２４は、平均身幅長丈の担架状の斜視図である。
図２３・２４とも３〜４人で移動させるが、手前の人の絵は省略した。
【０１４７】
図２３では、広幅の余分で受介者を平たく包み背負いひもを肩に掛け、全長の介助ひもで移動させている。本体頭部はひも等を絞りギャザー状のフードにしている。
【０１４８】
図２４では、平均身幅なので胸固定ひもや腹固定ひもや、背負い者の腰に巻く腰ひもを巻き安定させ、介助者の一人は背負いひもを肩に掛け、介助ひもを腕に掛けている。もう一人は自分の反対側の介助ひもを持ち、介助ひもに手を入れ移動させている。本体頭部は
着脱手段で三角フードに形成している。
【図面の簡単な説明】
【０１４９】
【図１】背負い具衣服型の使用時の略背面図。
【図２】衣服型の背負い機能部の収納中の背面斜視図。
【図３】背負いひも取付法IIの本体の略背面図。
【図４】背負いひも取付法IIの背負いひもの略内面図。
【図５】敷シート型の平均身幅短丈の略背面図。
【図６】敷シート型の平均身幅中丈の略背面図。
【図７】敷シート型の平均身幅長丈の略背面図。
【図８】敷シート型の広幅短丈の略背面図。
【図９】敷シート型の広幅中丈の略背面図。
【図１０】敷シート型の広幅長丈の略背面図。
【図１１】敷シート型の広幅長丈の切り開き法Ｉの略背面図。
【図１２】敷シート型の広幅長丈の切り開き法IIの略背面図。
【図１３】敷シート型平均身幅中丈の装着法の略斜視図。
【図１４】敷シート型広幅長丈の装着法Ｉの略斜視図。
【図１５】敷シート型広幅長丈の装着法IIの略斜視図。
【図１６】敷シート型広幅長丈の装着法IIIの略斜視図。
【図１７】敷シート型広幅長丈の装着法ＩＶの略斜視図。
【図１８】背負い機能部の略斜視図。
【図１９】背負い機能部の略側面図。
【図２０】aは長さ調節具の正面図。bは長さ調節具の背面図。ｃは長さ調節具          の側面拡大図。
【図２１】aは介助ひも使用時の略斜視図。bは介助ひもの正面図・ｃは介助ひ          もの略内面図。
【図２２】敷シート型の広幅長丈の介助ひも取り付け部位のaは全長、bは一部          の背面図。
【図２３】広幅長丈の担架状の斜視図。
【図２４】平均身幅長丈の担架状の斜視図。
【符号の説明】
【０１５０】
１Ａ  衣服型本体
１Ｂ   敷シート型本体
１Ｂａ 敷シート型本体頭部
１Ｂｂ 敷シート型本体足下
１ａ   裾尻布
１ｂ   股布
２ａ   受介者
２ｂ   背負い者
２ｃ   介助者
３     フタ
４     ボケット
５     背負い機能部
６Ａ   着脱テープ
６Ａａ 着脱テープオス
６Ａｂ 着脱テープ メス
６Ｂ   バックル
６Ｂａ バックル オス
６Ｂｂ バックル メス
６Ｂｃ バックルの挿通部
６Ｃ   各種着脱手段
６Ｃａ 各種着脱手段  オス
６Ｃｂ 各種着脱手段  メス
６Ｄ   ひも
７     背負いひも
７Ａ   背負いひも取付部位
７ａ   背負いひも外面
７ｂ   背負いひも内面
８     尻受けひも
８Ａ   尻受けひも取付部位
８ａ   尻受けひも外面
８ｂ   尻受けひも内面
９     調節ひも
９ａ   調節ひも外面
９ｂ   調節ひも内面
９ｃ   調節ひも先で１枚目
９ｄ   調節ひも中央部で２枚目
９ｅ   調節ひも背負いひもに固着した３枚目
１０   調節具
１０ａ 胴体
１０ｂ ひも第１挿通部
１０ｃ ひも第２挿通部
１０ｄ 長さ調節機能軸
１１   胸ひも
１２   腰ひも
１３   胸固定ひも
１４   腹固定ひも
１５   フード体
１６   切り開き部
１７   介助ひも
１７ａ 手通し部
１８   発光体
１９   固着部
【図１】
2008220764.tif 000003
【図２】
2008220764.tif 000004
【図３】
2008220764.tif 000005
【図４】
2008220764.tif 000006
【図５】
2008220764.tif 000007
【図６】
2008220764.tif 000008
【図７】
2008220764.tif 000009
【図８】
2008220764.tif 000010
【図９】
2008220764.tif 000011
【図１０】
2008220764.tif 000012
【図１１】
2008220764.tif 000013
【図１２】
2008220764.tif 000014
【図１３】
2008220764.tif 000015
【図１４】
2008220764.tif 000016
【図１５】
2008220764.tif 000017
【図１６】
2008220764.tif 000018
【図１７】
2008220764.tif 000019
【図１８】
2008220764.tif 000020
【図１９】
2008220764.tif 000021
【図２０】
2008220764.tif 000022
【図２１】
2008220764.tif 000023
【図２２】
2008220764.tif 000024
【図２３】
2008220764.tif 000025
【図２４】
2008220764.tif 000026
【手続補正書】
【提出日】平成19年6月18日(2007.6.18)
【手続補正１】
【補正対象書類名】明細書
【補正対象項目名】全文
【補正方法】変更
【補正の内容】
【発明の詳細な説明】
【技術分野】
【０００１】
本発明は、背負い具と長さ調節具を使用した背負い具に関する。
【背景技術】
【０００２】
歩行困難で介助を受ける者（以下受介者）の移動手段としての背負い具は、必要時、別に用意しなければならず、外見は背負い具の機能しかなく、他の必要品は荷物として持たねばならず防災効果はない。                        
【０００３】
背負う時（以下背負時）受介者の背負いひも該当部分（以下背負部位）からずり下り易く、背負いにくくずり下がると危険である。
【０００４】
背負いひもを衣服や、キルトやシーツ状敷寝具（以下敷シート）に固く取り付けたり、固く縫いつけ（以下固着）てある場合は、横臥時や洗濯時に取り外せない。
背負時、背負続行時（以下、背負中）に第三者の介助を受けにくい。
背負えない人（以下横臥者）の移動には、別の移動手段を用意する必要がある。
【０００５】
現在流通している長さ調節具（以下、調節具）でひもの長さを調節する時、予め、長さを調節しておかないと６０キログラムの女性が７０キログラムの男性を背負う時、現在の調節具でのひもの滑り具合は悪くほとんど動かない。
【特許文献１】特開２００５−６０８４７
【特許文献２】特開２００１−５５６０８
【特許文献３】特開２００１−１７０１１２
【特許文献４】特開２００６−１９８１３９
【特許文献５】実用新案登録番号第３０８０４６１
【発明の開示】
【発明が解決しようとする課題】
【０００６】
背負い具の形状は、外見は背負い具の機能でしかなく、受介者の心証は害されることが多いので、背負い具のイメージを払拭し、日々の生活に馴染む形状にし、常時身近にあり、日常時や災害時に直ぐに役立ち荷物にならず用品収納可能な物とする。
【０００７】
背負い時、背負いひもが受介者の背中の背負い部位からずり下がらず安全と所要時間短縮化（以下、スピード化）を図る。
【０００８】
背負い具の本体を衣服型や敷シート型とし、該本体に背負いひもを固着する方法と、容易に取り外し可能な方法を図る。
【０００９】
背負い時や背負い中に、第三者の介助を受ける介助ひもを取り付け該介助ひもが杭など突起物等の障害（以下、突起物）に進行妨害されない工夫をする。
横臥者の移動手段として、背負わず移動させる方法を図る。
【００１０】
重量がある人や物を背負い時、背負い中に背負いひもの長さ調節を滑らかに確実に果たせる調節法を図る。
受介者が快適で、背負い者が楽に背負える方法を図る。
【００１１】
以上の事から受介者が日常に使用している衣服又は、敷シートの型を本体とし（以下、本体）この本体の材質を一般布だけでなく、難燃性や溌水性や放湿性で防災の効果を持つ布（以下、防災布）や、健康志向布、発光体材を用い、随所に大小のポケットを設け、第三者の介助を受ける介助ひもを取り付けた本体に滑らかに確実に長さ調節する調節具を付けた背負い具を一体化することにより、常時、短時間で的確に安全に背負え、収納機能や防災機能を持ちながら、衣服に見違える形状、そして背負えない時の移動にも役立ち、背負いひもを着脱可能な型も用意し、前述の欠点を解決しようとするものである。
【課題を解決するための手段】
【００１２】
本発明の背負い具は、衣服型または敷シート型の本体に背負い機能部を取り付けて成す。
該本体が衣服型、敷シート型であることで常時身に付けられる形状とする。
衣服型または敷シート型とも本体の随所に大小のポケットを設ける。
【００１３】
本発明の背負い具は、該本体の背負い部位に、背負いひもと、調節ひもと尻受けひもと継脱具から成る背負い機能部（以下、背負い機能部）を取り付けて成すが衣服型や敷シート型とも、好みで、背負い機能部を共布又は別布のフタ型や筒型の物で部分的に隠す。
【００１４】
該本体用布の一部又は別布を用い背負い機能部の全部または一部を隠し収納する。
【００１５】
該本体用の材質は、一般布だけでなく防災布を用い防災効果を持たせる。また、綿入れ加工布、毛布、吸汗布、湿度制御布など季節適応布や健康志向布を単体または組み合わせ、季節に合わせる。
【００１６】
本発明の背負い具本体や、背負い機能部の一部から全部に光反射材や蓄光材を用いる。
【００１７】
該背負い機能部は、背負いひもと長さ調節ひも（以下、調節ひも）と尻受けひもと調節具とバックル等継脱具（以下、バックル）を一体に継着し背負い具と成す。
【００１８】
該背負い機能部は、背負いひもの両端に調節具がある。背負いひも両端内面側に固着された両調節ひもは、尻受けひも両端のバックルを通し調節具に通して一体と成す。
【００１９】
該調節ひもは、背負いひも端に固着され、固着部から下へ下ろし、尻受けひもの端のバックルの内面から通し引き上げ背負いひも先の調節具に通す事で３枚の屏風状となる。正面から見て１枚目ひも先を引き下げる事でひも丈は短縮する。２枚目の中央部を引き下げる事でひも使用量をを伸長する。ひも丈伸長時は、調節具は２枚目中央部のひもに対し、９０度の角度で上へ浮かした状態にしてひもを引き下げる。
【００２０】
背負いひもの取り付け法（以下、取付法）１として背負いひもを本体背負部位へ固着する。
【００２１】
背負いひもの取付法２として、本体背負部位の着脱テープを取り付け、一方背負いひもの背負部位へ双方が着脱し合える着脱テープを取り付け本体と背負いひもを着脱させる。
【００２２】
該取付法２で係着した上で、本体背負い部位内の複数カ所に取り付けたひもを結ぶか、ボタンを係止めするなど、２種以上の着脱手段で安全化を図る。
尻受けひもは、本体尻下の尻受けひも該当部位（以下、尻受部位）へ固着する。
【００２３】
本体背負い具の尻受けひも両端と両調節ひも中央部を継着しているバックルは、必要に応じ着脱可能である。
【００２４】
背負い具での背負い法（以下、背負法）１として、尻受けひも両端と両調節ひも中央部を継着しているバックルを継着したまま、リュックサック状（以下、リュック状）にして背負う。
【００２５】
本背負い具での背負い法（以下、背負法）２として尻受けひも両と両調節ひも中央部（以下、尻受けひもと調節ひも）を継着しているバックルを抜脱し、本体裾尻部と尻受けひもを受介者の股に挟み入れてから、抜脱したバックルを継着させた後、リュック状にして背負う。
【００２６】
本背負い具の背負いひもの胸あたりに胸ひもまたはバックルのついた胸ひも（以下、胸ひも）を取り付け、背負い時胸ひもを結ぶかバックルを継着する（以下、胸ひもを留める）
事で背負い者（以下、背負者）の肩から背負いひものずり落ちを防止する。
【００２７】
本背負い具の尻受けひもあたりに腰ひもまたはバックルの付いた腰ひも（以下、腰ひも）を取り付け、背負い時、腰ひもを結ぶかバックルを継着する（以下、腰ひもを留める）事で背負者腰部と受介者股部の密着度を高め重心の低下防止とする。
【００２８】
本背負い具本体の尻受けひもあたり、または、本体両脇の一部または全長に介助ひもを取り付け、背負時、背負中に第三者の介助を可能にする。
【００２９】
該介助ひもの内面側と本体外面側に双方が着脱し合える着脱テープを取り付け、背負中に介助ひもの手通し部に突起物の貫入を防止する。
【００３０】
敷シート型の幅を一般人平均身幅（以下、平均身幅）から敷布団への敷込み可能な幅（以下、広幅）までの適宜幅とし、背負いひもと尻受けひもの取り付けは、背負い部位と尻受け部位へ平均身幅程度とする。
【００３１】
敷シート型の幅を一例として平均身幅程度とした場合、背負い時にずり下らないよう本体の胸部あたりに胸固定ひもまたは着脱テープ等の着脱手段を取り付けた胸固定用ひも（以下、胸固定ひも）を取り付ける。
【００３２】
敷シート型の幅を平均身幅程度とした場合、背負中に本体を固定させるために、本体の腹部あたりに腹固定ひも、または種々係止具を取り付けた腹固定用ひも（以下、腹固定ひも）を取り付ける。
【００３３】
敷シート幅を一例として、布団敷き込み幅とした場合、背負時は身幅から余分で受介者の体を巻き、敷シートに着脱テープやボタンひもやバックル等の着脱手段（以下、着脱手段）の１種か復数種を取り付け、これで留めた後、衣服型と同様にして背負う。
【００３４】
該敷シートで横臥時は、そのまま横臥するか着脱手段を解除し敷シート端を背負い機能部本体とごと敷き布団下へ敷き込む。
【００３５】
敷シート型の丈は、短丈から長丈までまでとし使用目的により、適宜丈にする。本明細書では、短丈と中丈と長丈で説明する
敷シート型本体の短丈として、背負い部位から尻受部位までの丈とし、背負部位に背負いひもを、尻受部位に尻受けひもを各々ほぼ平均身幅分を取り付ける。この丈の場合、背負い時に背負いひもがずり落ち易いので胸固定ひもを係止し、衣服型と同様にして背負う。
【００３６】
敷シート型本体の中丈として頭部から尻受け部位までの丈とし背負部位に背負いひもを尻受部位に尻受けひもを各々ほぼ平均身幅分を取り付ける。
【００３７】
敷シート型本体の長丈として頭部から足下までとし背負部位に背負いひもを、尻受部位に尻受けひもを各々ほぼ平均身幅分を取り付ける。
【００３８】
該敷シート型長丈での装着法１として、敷シート本体の尻受けひもから下を股に挟み込み入れ、敷シート下端部を引き上げ、敷シート本体上か背負いひも取り付け部付近に適宜着脱手段で留める。
【００３９】
該敷シート型長丈での装着法２として長丈の敷シート幅を広幅として、該広幅長丈の尻受けひもから下部を切り開き、切り開いた敷シート脇端部に着脱し合える着脱手段を取り付け、該切り開いた２部の敷シートで受介者の足を片方づつ包み、包んだ端を前記の着脱手段で留めズホン状にする。
【００４０】
前記ズボン状にする装着法３として、敷シート本体尻部に股布をを取り付け、これら股布と尻受けひもを受介者股間に挟み入れ、引き上げ本体上部か背負いひも取り付け部付近に適宜着脱手段で留め股布を挟んだズボン状にする。
【００４１】
敷シート型の中丈と長丈の背負い具で背負う場合、敷シート頭部上端に適宜着脱手段を取り付け、該上端を中折りして前記着脱手段を留めて成る三角フード型や、上端を布着のように絞って成るギャザー型フード（以下、フード）を頭に被る事で背負いひもが背負い部位からずり下がるのを防止して、衣服型と同様にして背負う。
該フードを被らない時は、胸固定ひもを留めてから同様に背負う。
該フードは、各着脱手段を解除し敷シート体に戻す。
【００４２】
敷シート型長丈の背負い具で横臥者の移動手段への転用法として、敷シート両脇端の全長または、一部に介助ひもを取り付け複数の介助者で介助ひもを持ち上げ移動させるか介助ひもに棒状の物を差し込み持ち上げ、担架のようにして移動させる。
該シート型長丈が広幅の場合、前記方法の前に身幅からの余分で横臥者の体を包み背負いひもで身体拘束し安定させる。
【００４３】
前記方法で移動させるとき、背負いひも本体と尻受けひもを継着させた背負い具ひもを介助者の肩や腕にかけると横臥者の重量を分散させられる。
【００４４】
敷シート型で背負わない時は、本体上の着脱手段を解除し、敷シート体に戻す方法に着脱手段を係着し直し敷シートとして使用する。
【発明の効果】
【００４５】
上述のように本発明の背負い具は、受介者が日常使用している衣服や、敷シートを本体の型としたので常時身近にあることから必要時に使用可能となり、労力や不安が軽減されスピード化された。
【００４６】
本発明の背負い具形状は、衣服型や敷シート型とし、本体用布の一部やポケットやフタ等で、背負い機能部を収納し隠すことで、背負い具のイメージは払拭され衣服のイメージが強くなったので、受介者の害心証は減少した。
【００４７】
また、背負いひもの不要時に収納しておけば背負い機能部のひも等の垂れ下がりが無いことからひもへのつまづきも、邪魔にもならず快適である。また、背負い機能部の汚れ傷みも少ない。
【００４８】
また、本体背負部位の上にフタを取り付けた事で、背負い具のイメージが払拭される利点に加え、後述の背負いひも取付法２で取り付けた背負いひもと、本体背負部位着脱テープを、該フタで隠す事により突起物等で離脱させられる恐れが減少した。
【００４９】
本体外面と内面の適宜所へ大小適宜なポケットを設ける事でポケットへの用品収納量分だけ別荷物量が減量された。
本体用布の材質を一般布だけでなく、防災布を用いて防災効果が得られ、健康志向布や季節適応布を用いて季節適合させる事で快適感を得る。
【００５０】
本体と背負い機能部のひもや器具等の一部または全部に光反射材や蓄光材等の発光体を加える事により災害だけでなく日常夜間の目印や光源となり不安が軽減された。
【００５１】
本体の背負い部位に背負いひもを、本体の尻受部位へ尻受けひもを取り付けた衣服型本体を着用し、背負うと、背負いひもが受介者の背負部に自ずと該当し当然ながら取り付け部位が動かないのでずり下がらず短時間で的確に安全に背負い可能となり、スピード化と的確化と安全性が高められた。
【００５２】
該背負い具で、背負い時、背負い中、背負い機能部の背負いひも等と本体に受介者の重量が分散され、背負い者は、分散された重量を肩や背中や腕で受けるので箇所箇所で受ける重量は減少されたと感じられる。
【００５３】
また、背負い者は、背負う事で両手の自由を得られ自身の安全も確保し易くなった。万が一背負い中に双方が転落する事があっても衣服型の肩部分、敷シート型のフード部分が背負い具に固着されているので背負い具から受介者だけ離れて落ちる事はなく安全である。
【００５４】
一方背負われた受介者は、自身の重量が本体布と背負い機能部の背負いひも等に分散されて脇下や太股等に集中しない事から苦痛はない。また、該本体布での被覆量が多い程、被保護感は高い。
背負いひもの取付法１として、本体背負い部位へ固着したので安全性が高い。
【００５５】
背負いひもの取付法２として、本体背負い部位へ着脱テープを取り付け、背負いひも背中部へ双方が着脱し合える着脱テープを取り付け必要に応じ該着脱テープを着脱可能にしたので横臥時に離脱させると邪魔にならず、洗濯時や新品交換時も容易である。
【００５６】
背負いひもの取付法２として、着脱テープの係着だけでなく本体背負い部位の複数箇所の別ひもを結ぶか、ボタンを係止し２種以上の着脱手段を用いるので、本体から背負いひもが離脱し難い。
尻受けひもは、本体尻受け部位へ固着したので安全である。
【００５７】
本発明の背負い具の背負い機能部は、背負いひも、調節ひも、尻受けひもを用い、適所に調節具と継脱具を取り付けて成し、胸ひもや腰ひもで機能補強させ、該背負い機能部を衣服型や敷シート体に一体化させた背負い具であり、使用に当たっては各ひもを器具で連結し主としてリュック状にして背負うのでスピード化が図られた。
【００５８】
背負いひも、尻受けひもの連結法１として、尻受けひも両端の継脱具に背負いひもの継脱具を継着しリュック状にして背負うのでスピード化が図られた。且つ常時リュック状態で待機可能である。
【００５９】
背負いひもと尻受けひもの連結法２として、尻受けひも両端の継脱具を抜脱させ、尻受けひも及び裾尻布を受介者の股間に挟み入れてから尻受けひも両端のバックルを継着した後にリュック状で背負うので継着所要時間は、やや長くなるが尻受けひもが上へずり上がる危険性が無くなる。
【００６０】
また、この連結法２は、受介者のずり下がりが少なく重心が下がらないので背負い者の軽量感は高く受介者は胸や腹の圧迫感が少ない。
【００６１】
これら連結法１と２で背負いひもと尻受けひもを連結した後に、背負い者は、背負い者の腰部を受介者の股あたりまで下げ、背負う体勢にした後に、胸ひもを係着するが、該胸ひもは、背負い時、背負い中に背負い者の肩から背負いひもがずり落ちるのを防ぐ。
【００６２】
背負い機能部の連結法１と２の背負いひもの長さ調節は、背負いひも先の調節具に挿通した調節ひもの先（１枚目）を引き下げて使用ひも丈を短縮させ、調節ひもの中間部（２枚目）を引き下げて使用ひも丈を伸長させる。 
【００６３】
該調節具は、背負いひも先にあり背負い者の胸あたりに位置しそれに挿通した調節ひもを引き下げるとき、胸あたりの調節具は滑車の役をも持ち調節ひもは、つるべのひもの原理が働き、引き下げ時の力は少なくて済む。片手だけで引き下げられない時は、両手で１本の調節ひもを引き下げる事もできる。引き下げを止めると調節具のストップ機能が働き適量丈を維持できる。
【００６４】
調節具で使用ひも丈を伸長させる時は、該調節具を調節ひもに対し９０度角まで上へ浮かせてから調節ひも２枚目を引き下げるが背負い中は調節具を上へ浮かせると受介者の重量により調節ひも２枚目が引き下がり、使用ひも丈が伸長される。適量丈にして調節具を下げるとストップ機能が働き維持される。
【００６５】
該調節具で使用ひも丈を伸長させる時調節ひもに対し９０度角で調節具の胴体を手で持ち上へ浮かせるが、該調節具の胴体を手で持ち易い大きさにした事で持ち易く手の力が少なくて済む。該胴体が大きい事から調節具を浮かせた時調節ひも２枚目（中央部、伸長用）は、１枚目（先短縮用）と３枚目（背負いひも先に固着）から適度な距離感が生まれ作業がわかり易い。
【００６６】
該調節具と調節ひもでひもの長さ調節をする時、背負い者の背中に乗せた状態で作業すると、ひもの滑り具合は滑らかで軽く長さ調節は、一段とスピード化された。人以外の物の背負い具に転用してもこの長さ調節の滑りの良さは生かされる。
【００６７】
ひもの長さ調節が適量となれば腰ひもを係着するが該腰ひもを係着すると背負い時、背負い中、受介者太股が背負い者腰骨位置からずり下がり難い事から、背負った重心は下がり難い。また、受介者の股部と背負い者の腰部の密着度も高くなり、密着度が高く、重心が高いと背負い者は、軽量感が高く安心感が持続できる。
【００６８】
また、一方、受介者は、股部と背負い者の腰部の密着度が高いと受介者の胸部や腹部に空間が生まれる事で圧迫感がなく安定と安心を得ることができた。
【００６９】
そして、該腰ひもへの重量分散により背負い者の軽量感と受介者の太股の安定感が増し苦痛は無い。
【００７０】
敷シート型を本体とした背負い具で、平均身幅や短丈の場合は、横臥時に敷き込んでおくだけでなく、単なる背負い具として持ち運びや手入れが手軽で嵩張らない。該敷シート型は、胸固定ひもがあるので、背負い時、背負い部位からずり下がり難く、腹固定ひもがあれば安定する。
【００７１】
敷シート型で幅が敷き布団下へ敷き込み可能な広幅の型で背負う場合は、身幅より余る布分を身体に巻き、布端の着脱手段で止めるので余分布が邪魔にならず、防寒、防災の効果がありそのまま横臥可能である。布端の着脱手段を解除し、敷き布団の下へ背負い機能部を敷き込めば敷シーツはずれにくい。
【００７２】
敷シート型、中丈は、尻受け部位から頭部までとしたので背負い時や使用しないときの扱いがやや簡単である。
【００７３】
敷シート型長丈は足下から頭部までとしたので、長丈装着法１として、敷シートの尻受けひもから下を股に挟み込んでから裾端を引き上げ、敷シート上に係着するか、背負いひも、背負い部位近に係着する。着脱手段の係止力が強いと背負い中ずり下がりは少ない。このまま横臥させ、通常横臥までの解除は簡単である。
【００７４】
敷シート型広幅で長丈の装着法２として、敷シートの股あたりから下の中心を切り開き、開いたシート布で、受介者の足を片方ずつ包み、包んだ布端を着脱手段で止め、ズボン状に形成可能なのでこうすると保護効果が高く、ズボン状で横臥させておく事もできる。
【００７５】
該広幅長丈装着法３として、尻部に取り付けた股布をズボン状の股に挟み入れ、股布に取り付けた継脱具と背負いひも本体の継脱具に継着させて背負うので受介者はずり下がりにくい。ズボン状で横臥させておく事も可能である。
【００７６】
該長丈装着法２と３のズボン状の着脱手段を解除し、この着脱手段を別方法で係着し敷シート状に戻す事ができるので便利である。背負わない時は、装着法４として敷シート布を単に巻き付けるだけなので便利である。
【００７７】
敷シート型の中丈と長丈の場合、用布は頭部まであるので該頭部上端を縦に中折りし、頭部上端の着脱手段を係着し、フード状とし該フードを冠せる事で背負いひもが背負い部位からずり下がらず、背負い時的確に背負える。
【００７８】
該フードは、防暑、防寒、防災の役目を果たし、そのまま．横臥可能で、該頭部上端の着脱手段を解除することで直ちに敷シート状に戻すことが可能で横臥時は、頭の重みで敷シート頭部がずれにくい。
【００７９】
敷シート型の短丈、中丈、長丈のいずれも背負いひもと尻受けひもは、敷シート本体の幅に関係なく平均身幅分を各々の該当部位へ取り付けたので背負い時、背負い中は衣服型と同様に背負いが可能。胸ひも、腹ひもも衣服型と同様の効果を得た。
【００８０】
敷シート型の長丈で背負えない横臥者を移動させる手段として、敷シートの両脇端の全長または一部に介助ひもを取り付けたので、複数の介助者が介助ひもを持ち上げるか介助ひもに棒状の物を差し入れることで担架状の移動手段に転用できた。背負いひも等を介助者の肩にかけるとより安全性が高くなり、手や腕にかかる重量は分散され小さくなる。
【００８１】
該敷シート型で単独で移動させる手段として、引きずる方法があるが、該介助ひもがあるので持ち易く背負いひもを肩にかけると手や腕の重量は分散され小さくなる。
【００８２】
衣服型の場合の介助ひもは、尻受けひもあたりや両脇の全長または一部に介助ひもを取り付けてあるので第三者の介助者は単独または複数で介助可能となり、介助を受けた背負い者の肉体的、精神的負担は軽減される。
【００８３】
衣服型と敷シート型とも介助ひもの内面側と本体外面側に双方が脱着できる着脱テープがあるので、介助ひもを不使用時には、該着脱テープを係着していおくので移動時この介助ひもの手通し部に突起物が貫入せず進行妨害されなくなった。
【００８４】
該介助ひもの使用時は、着脱テープを瞬時に離脱できるので、対応は速く、介助ひもを手で持ったり腕に掛けたり棒状の物や帯状の物を挿入して介助できる。
【発明を実施するための最良の形態】
【００８５】
以下、本発明の実施の形態を図１〜図２２に基づいて説明する。
【００８６】
本背負い具の衣服型も敷シート型も通常人の日常着用衣服や敷シーツを本体とし、該本体に背負い機能部を一体化させたものであるので、図の説明は背面図が大半である。図１は本発明による背負い具の衣服型の１例使用時の略背面図である。
【００８７】
この背負い具は、背負い具本体布に一般布や防災布や季節適応布や健康志向布を用いて、本体１Ａとしている。敷シート本体１Ｂにおいても基本的には同様である。
【００８８】
該背負い具の背負い機能部５は背負いひも７と調節ひも９尻受けひも８を調節具１０とバックル６Ｂａと６Ｂｂで連結し一体と成す。
【００８９】
該背負い機能部５の胸付近に胸ひも１１と尻受けひも８下に腰ひも１２を取り付け、背負具の機能を補強した。結ぶとか継脱具６で留める。
該背負い機能部５を本体１Ａまたは１Ｂに一体化させ本背負い具と成す。
本背負い具には、ポケット４を各適所に設け収納機能を持たせる。
また、状況、状態に合わせ介助ひも１７を適所に適量を取り付ける。
また、状況、状態に合わせ発光体材１８を適所に適量配する。
【００９０】
図２は、衣服型の背負い機能部５を、本体１Ａの裾尻布１ａで収納途中の背面斜視図である。ぴったりと収納し終えたらフタ３と裾尻布１ａの着脱手段６Ｃで留める。裾尻布両脇と本体１Ａの脇端にも着脱手段６Ｃで留める。
【００９１】
図３は、背負いひも取付法２の略背面である。衣服型敷シート型とも同様の実施法である。
本体１Ａ・１Ｂの背負い部位７Ａに着脱テープ６Ａａを取り付ける。
【００９２】
図４は、背負いひも取付法２の背負いひも取付部位の略内面図である。背負いひも７の内面体に、ひも６Ｄを複数と着脱テープ６Ａｂを取り付ける。
【００９３】
図５と図６と図７は、敷シート型平均身幅短丈とこの幅の中丈と長丈の略背面図である。本体１Ｂの背負部位７Ａと尻受部位８Ａに各ひもを取り付ける。また、胸固定ひも１３、腹固定ひも１４の部位である。
【００９４】
図８〜１０は、広幅敷シートの短丈、中丈、長丈の本体の背負部位７Ａと尻受部位８Ａである。
図１１と図１２は、敷シートの広幅長丈の切り開き法１と２である。頭部１Ｂａの端に着脱手段６Ｃａと６Ｃｂを付け該着脱手段でフード１５を形成する。
【００９５】
該敷シートの両端また中程の着脱手段６Ｃｂと６Ｃａは受介者２ａの体を巻いた後に該脱着手段６Ｃで留め着衣状にする。
【００９６】
図１１と図１２の敷シートでズボン状にする時は、本体切り開き部１６の着脱手段６ｃａと６Ｃｂを解除し、本体の両方の足下１Ｂｂを受介者の足に片方づつ巻き、本体足下両方の端の着脱手段６Ｃａと６Ｃｂを留める。
【００９７】
図１１でズボン状にして背負うと尻受ひも８は挟めないがズボン状にした足下１Ｂｂの着脱手段が留まっているので尻受部位８Ｂがずり上がる可能性は低い。
【００９８】
図１２の敷シートでズボン状にして背負い時、股布１ｂと尻受けひも８を股に挟み入れてから尻受ひものバックル６Ｂｂを調節ひも中央部のバックル６Ｂａに継着し背負う。
【００９９】
図１１と図１２のズボン状の解除は、留めた着脱手段６Ｃａと６Ｃｂを解する。敷シート本体へ戻す時は切り開き部１６の６Ｃａと６Ｃｂを留める。
【０１００】
図１３は、敷シート型の平均幅中丈を装着した略斜視図である。本体頭部１Ｂａを中折りし着脱手段６Ｃで留め三角フード体を形成した。
図１３の尻受ひも８は、受介者２ａの尻受部位８Ａに当てただけである。
【０１０１】
背負い中長時間を要する時、また進行上に障害がある時、受介者２ａの身体の動きがある時は短時間でも尻受ひも８のバックル６Ｂを解除してから尻受ひも８と裾尻布１ａを股に挟み入れ解除した６Ｂを継着してから背負う。また腹ひも１４があればこれをすると本体１Ｂが安定する。
【０１０２】
図１３の股挟みの方法は、敷シート中丈だけでなく敷シートの短丈、長丈、広幅、狭幅、また衣服型も同様で同様の効果を得る。
【０１０３】
図１４は、敷シートの広幅長丈の装着法１の略斜視図である。横臥者２ａを急を要し安全を目的に移動させる手段である。図１３で述べた方法でフードを形成し、裾尻布1ａを股に挟み入れ引き上げ、これの着脱手段６Ｃ、背負いひも７付近にある着脱手段６Ｃとで留める。
【０１０４】
図１４での尻受ひも８は、図のままでもずり上がる危険はないが、図１３で述べた方法で尻受ひもを股に挟み入れるとより安全である。
【０１０５】
図１５は、敷シート広幅長丈装着法１である。図１３の方法で三角フードを形成し、図１１と図１２で述べた方法で装着したものである。腰ひも１２があればバックル６Ｂを継着するとより安定する。
【０１０６】
図１６は、敷シート広幅長丈装着法３の略斜視図である。図１１と図１２と図１３で述べた方法で装着したものである。
【０１０７】
図１７は、敷シート広幅長丈装着法４の略斜視図である。敷シートを脇から下の胸や足下１Ｂｂを巻き付け、敷シート端及び中央の着脱手段６Ｃで留め、頭部１Ｂｂを肩に着脱手段６Ｃで留めた。歩行受介時や横臥時や安息時の保温着の役目をもつ。
【０１０８】
図２０のａは、長さ調節具の正面図であり、ｂは背面図であり、ｃは側面拡大図である。
【０１０９】
図１８は、背負い機能部の略斜視図である。図１９は背負い機能部の略側面図である。背負い機能部の実施の手順として、手順１は、背負いひも７を調節具１０の第１挿通部１０ｂの外面からひも裏面挿通部１０ｅへ挿通し、背負いひも７の先を引き上げ背負いひも７の内面同志を合わせ固着部１９から上を固着する。
【０１１０】
手順２は、調節ひも９の外面９ａを背負いひも７の端の調節具１０の内面に添わせ、背負いひも７の内面の固着部１９から上部へ固着する。この固着１９部が多い程強度が高まる。
【０１１１】
手順３は、バックル６Ｂを取り付けた胸ひも１１を調節具の上の固着部１９あたりに固着する。
【０１１２】
手順４は、手順２で取り付けた背負いひも７の端に取り付けた調節ひも９の先の外面９ａを尻受けひも８のバックル６Ｂのオスバックル６Ｂａの内側の挿通部６Ｂｃに通し、引き出し該調節ひも先を調節具１０のひも裏面挿通部１０eから第１挿通部１０ｂに通し引き出し長さ調節機能軸１０ｄをまたいで第２挿通部１０ｃから、ひも裏面挿通部１０eにとおし引き出す。
【０１１３】
手順１〜４で固着し、挿通した調節ひも９は、正面から見て、ひも先９ｃは１枚目にあり、この１枚目を引き下げると使用ひも丈が短縮する。ひも丈は、長さ調節固定部１０fにより固定される。
【０１１４】
正面から見て、中央部９ｄは２枚目にあり、この２枚目を引き下げると使用ひも丈が伸長する。ひも丈は、長さ調節固定部１０fにより固定される。
【０１１５】
該調節ひも中央部９ｄの２枚目を引く時は、調節具１０を調節ひもに対して９０度の角度に浮かせ上げる必要がある。本発明の調節具１０は、浮かせ上げる時を考慮し浮かせ上げる手に持ち易い形として、大きな胴体のある調節具１０とした。胴体が大きい事から持ちやすく作動時小さな力で作動できる。
【０１１６】
また、こうして浮かせ上げた調節具１０は、１枚目、２枚目、３枚目のひも各々に距離を作り確認が楽となる。
【０１１７】
本発明の長さ調節機能は、井戸に例えば背負いひも取り付け部が井戸の屋根、この屋根に取り付けた滑車は本発明の調節具１０長さ調節軸１０ｄである。つるべは尻受ひも８で支える受介者であり、つるべのひもは、調節ひも９である。滑車の原理で重量を分散している事から長さ調節が従来より軽く楽になった訳である。 
【０１１８】
図１８にある尻受ひも８は、このひも８をバックルのメス６Ｂｂの挿通部６Ｂｃの外面から通し折り返し箇所に固着部１９から全体に固着する。本発明の背負い具は、裾尻布１ａやフタ３やポケットで包み隠すことで背負い具のイメージ払拭の一助としている。
【０１１９】
図２１のａは、介助ひも使用時の略斜視図である。ｂは介助ひもの外面の正面図である。ｃは介護ひもの内面の正面図である。
【０１２０】
用布は、丈夫なテープや布を重ねた物とし、クッション性のある物を内在させると手に優しい。また、介助ひもの外面には発光体を取り付けると夜間の目印や光源になる。発光体の数は適宜とする。
【０１２１】
介助ひも内面には、着脱テープのメス６Ａｂを取り付けるが着脱テープの幅を広くする場合は、係着力の弱い物とし、幅を狭くする時はやや強めとする。係着力が強いと本体から離脱させる時、力が要り手間がかかる。
【０１２２】
該介助ひもを取り付ける本体または背負い機能部の取り付け部位には、着脱テープのオス６Ａａを取り付ける。
【０１２３】
介助ひもの手通し部１７ａは約１５cmにすれば円周３０cmの腕等が入れられるが適宜幅とする。
【０１２４】
図２２は、広幅長丈本体への取付部位の説明であって、ａは全長の取り付け図である。ｂは一部への取り付け図である。介助ひもの幅や長さは状況や状態に適宜合わせ、衣服型、敷シーツ型とも全長または一部に取り付ける。
図２３は、広幅長丈の担架状の斜視図である。
図２４は、平均身幅長丈の担架状の斜視図である。
図２３・２４とも３〜４人で移動させるが、手前の人の絵は省略した。
【０１２５】
図２３では、広幅の余分で受介者を平たく包み背負いひもを肩に掛け、全長の介助ひもで移動させている。本体頭部はひも等を絞りギヤザー状のフードにしている。
【０１２６】
図２４では、平均身幅なので胸固定ひもや腹固定ひもや、背負い者の腰に巻く腰ひもを巻き安定させ、介助者の一人は背負いひもを肩に掛け、介助ひもを腕に掛けている。もう一人は自分の反対側の介助ひもを持ち、介助ひもに手を入れ移動させている。本体頭部は着脱手段で三角フードに形成している。
【図面の簡単な説明】
【０１２７】
【図１】背負い具衣服型の使用時の略背面図。
【図２】衣服型の背負い機能部の収納中の背面斜視図。
【図３】背負いひも取付法２の本体の略背面図。
【図４】背負いひも取付法２の背負いひもの略内面図。
【図５】敷シート型の平均身幅短丈の略背面図。
【図６】敷シート型の平均身幅中丈の略背面図。
【図７】敷シート型の平均身幅長丈の略背面図。
【図８】敷シート型の広幅短丈の略背面図。
【図９】敷シート型の広幅中丈の略背面図。
【図１０】敷シート型の広幅長丈の略背面図。
【図１１】敷シート型の広幅長丈の切り開き法１の略背面図。
【図１２】敷シート型の広幅長丈の切り開き法１の略背面図。
【図１３】敷シート型平均身幅中丈の装着法の略斜視図。
【図１４】敷シート型広幅長丈の装着法１の略斜視図。
【図１５】敷シート型広幅長丈の装着法２の略斜視図。
【図１６】敷シート型広幅長丈の装着法３の略斜視図。
【図１７】敷シート型広幅長丈の装着法４の略斜視図。
【図１８】背負い機能部の略斜視図。
【図１９】背負い機能部の略側面図。
【図２０】aは長さ調節具の正面図。bは長さ調節具の背面図。ｃは長さ調節具の側面拡大図。
【図２１】aは介助ひも使用時の略斜視図。bは介助ひもの正面図・ｃは介助ひもの略内面図。
【図２２】敷シート型の広幅長丈の介助ひも取り付け部位のaは全長、bは一部の背面図。
【図２３】広幅長丈の担架状の斜視図。
【図２４】平均身幅長丈の担架状の斜視図。
【符号の説明】
【０１２８】
１Ａ  衣服型本体
１Ｂ   敷シート型本体
１Ｂａ 敷シート型本体頭部
１Ｂｂ 敷シート型本体足下
１ａ   裾尻布
１ｂ   股布
２ａ   受介者・横臥者
２ｂ   背負い者
２ｃ   介助者
３     フタ
４     ボケット
５     背負い機能部
６Ａ   着脱テープ
６Ａａ 着脱テープオス
６Ａｂ 着脱テープ メス
６Ｂ   バックル
６Ｂａ バックル オス
６Ｂｂ バックル メス
６Ｂｃ バックルの挿通部
６Ｃ   各種着脱手段
６Ｃａ 各種着脱手段  オス
６Ｃｂ 各種着脱手段  メス
６Ｄ   ひも
７     背負いひも
７Ａ   背負いひも取付部位
７ａ   背負いひも外面
７ｂ   背負いひも内面
８     尻受けひも
８Ａ   尻受けひも取付部位
８ａ   尻受けひも外面
８ｂ   尻受けひも内面
９     調節ひも
９ａ   調節ひも外面
９ｂ   調節ひも内面
９ｃ   調節ひも先で１枚目
９ｄ   調節ひも中央部で２枚目
９ｅ   調節ひも背負いひもに固着した３枚目
１０   調節具
１０ａ 胴体
１０ｂ ひも第１挿通部
１０ｃ ひも第２挿通部
１０ｄ 長さ調節機能軸
１０eひも裏面挿通部
１０f長さ調節固定部
１１   胸ひも
１２   腰ひも
１４   腹固定ひも
１５   フード体
１３   胸固定ひも
１６   切り開き部
１７   介助ひも
１７ａ 手通し部
１８   発光体
１９   固着部
【手続補正２】
【補正対象書類名】図面
【補正対象項目名】全図
【補正方法】変更
【補正の内容】
【図１】
2008220764.tif 000027
【図２】
2008220764.tif 000028
【図３】
2008220764.tif 000029
【図４】
2008220764.tif 000030
【図５】
2008220764.tif 000031
【図６】
2008220764.tif 000032
【図７】
2008220764.tif 000033
【図８】
2008220764.tif 000034
【図９】
2008220764.tif 000035
【図１０】
2008220764.tif 000036
【図１１】
2008220764.tif 000037
【図１２】
2008220764.tif 000038
【図１３】
2008220764.tif 000039
【図１４】
2008220764.tif 000040
【図１５】
2008220764.tif 000041
【図１６】
2008220764.tif 000042
【図１７】
2008220764.tif 000043
【図１８】
2008220764.tif 000044
【図１９】
2008220764.tif 000045
【図２０】
2008220764.tif 000046
【図２１】
2008220764.tif 000047
【図２２】
2008220764.tif 000048
【図２３】
2008220764.tif 000049
【図２４】
2008220764.tif 000050